(57)【要約】【課題】ガスメータによるガス漏れ検知を抑制する燃料電池装置及び制御方法を提供する。【解決手段】燃料電池装置は、ホットモジュールと、制御部と、を備える。前記ホットモジュールは、ガスメータを経て供給されるガスを改質反応させることで発電する。前記制御部は、前記ホットモジュールに供給されるガスの流量が所定範囲内で所定時間にわたって継続する場合、前記ガスの流量を制御して前記所定範囲外とする。前記制御部は、前記所定範囲が閾値以下のときは前記ガスの流量を増加させ、前記所定範囲が前記閾値を超えるときは前記ガスの流量を減少させる。【選択図】図４
2018186011.tif 000002
【特許請求の範囲】
【請求項１】
ガスメータを経て供給されるガスを改質反応させることで発電するホットモジュールと、
前記ホットモジュールに供給されるガスの流量が所定範囲内で所定時間にわたって継続する場合、前記ガスの流量を制御して前記所定範囲外とする制御部と、を備え、
前記制御部は、前記所定範囲が閾値以下のときは前記ガスの流量を増加させ、前記所定範囲が前記閾値を超えるときは前記ガスの流量を減少させる、
燃料電池装置。
【請求項２】
前記ホットモジュールにより発電されて外部に出力される出力電力を検出する出力電力検出部を更に備え、
前記制御部は、前記ガスの流量を増加させている状態では、前記出力電力が減少するとき前記ガスの流量の減少を抑制する、
請求項１に記載の燃料電池装置。
【請求項３】
前記ホットモジュールにより発電されて外部に出力される出力電力を検出する出力電力検出部を更に備え、
前記制御部は、前記ガスの流量を減少させている状態では、前記出力電力が増加するとき前記ガスの流量の増加を抑制する、
請求項１又は２に記載の燃料電池装置。
【請求項４】
前記制御部は、自立運転時には、前記ガスの流量が前記所定範囲内で前記所定時間にわたって継続する場合、前記所定範囲と前記閾値との大小関係に関わらず、前記ガスの流量を増加させる、
請求項１から３のいずれか一項に記載の燃料電池装置。
【請求項５】
前記ガスメータは、前記ホットモジュールに供給するガスの流量がガス漏れ検知流量範囲内の状態をガス漏れ検知時間にわたって継続する場合、前記ガスの供給を遮断する、
請求項１から４のいずれか一項に記載の燃料電池装置。
【請求項６】
ガスメータを経て供給されるガスを改質反応させることで発電するホットモジュールを備える燃料電池装置の制御方法であって、
前記ホットモジュールに供給されるガスの流量が所定範囲内で所定時間にわたって継続する場合、前記ガスの流量を制御して前記所定範囲外とし、
前記所定範囲が閾値以下のときは前記ガスの流量を増加させ、
前記所定範囲が前記閾値を超えるときは前記ガスの流量を減少させる、
制御方法。
【発明の詳細な説明】
【技術分野】
【０００１】
本開示は、燃料電池装置及び制御方法に関する。
【背景技術】
【０００２】
都市ガスなどの燃料ガスを改質反応させ、得られる水素を用いて発電する燃料電池装置が知られている。かかる燃料電池装置は、例えば各需要家施設に設置される。その場合、燃料電池装置は、都市ガスを用いて発電し、電力を需要家施設の負荷機器に供給する。
【０００３】
需要家施設では、燃料電池装置は、ガスメータを介してガスの供給を受ける。ガスメータは、ガスの供給の異常を検知すると、自動的にガスの供給を遮断する保安機能を有する。例えば、ガスメータは、ガスの流量が所定の範囲内の状態を所定のガス漏れ検知時間（例えば２７０分）にわたって継続した場合に、ガス漏れが生じたと判定してガスの供給を遮断する。
【０００４】
燃料電池装置が安定した発電に資するために、ガスの継続的供給が要求される。しかし、ガスメータが保安のためにガス供給を遮断すると、燃料電池装置へのガスの継続的供給が妨げられる。かかる制約において燃料電池装置へのガスの継続的供給を確保する技術として、例えば特許文献１には、所定のガス遮断期間を設けることでガスメータのガス漏れ検知を抑制し、ガスの遮断を回避する熱機器が開示されている。
【先行技術文献】
【特許文献】
【０００５】
【特許文献１】特開２０１３−２１３６０９号公報
【発明の概要】
【発明が解決しようとする課題】
【０００６】
ガスメータによるガス漏れ検知発生の抑制には、更なる改善の余地がある。
【０００７】
本開示は、ガスメータによるガス漏れ検知を抑制する燃料電池装置及び制御方法に関する。
【課題を解決するための手段】
【０００８】
本開示の一実施形態に係る燃料電池装置は、ホットモジュールと、制御部と、を備える。前記ホットモジュールは、ガスメータを経て供給されるガスを改質反応させることで発電する。前記制御部は、前記ホットモジュールに供給されるガスの流量が所定範囲内で所定時間にわたって継続する場合、前記ガスの流量を制御して前記所定範囲外とする。前記制御部は、前記所定範囲が閾値以下のときは前記ガスの流量を増加させ、前記所定範囲が前記閾値を超えるときは前記ガスの流量を減少させる。
【０００９】
本開示の一実施形態に係る制御方法は、ガスメータを経て供給されるガスを改質反応させることで発電するホットモジュールを備える燃料電池装置の制御方法である。前記制御方法は、前記ホットモジュールに供給されるガスの流量が所定範囲内で所定時間にわたって継続する場合、前記ガスの流量を制御して前記所定範囲外とする。前記制御方法は、前記所定範囲が閾値以下のときは前記ガスの流量を増加させ、前記所定範囲が前記閾値を超えるときは前記ガスの流量を減少させる。
【発明の効果】
【００１０】
本開示の一実施形態によれば、ガスメータによるガス漏れ検知を抑制する燃料電池装置及び制御方法が実現される。
【図面の簡単な説明】
【００１１】
【図１】本開示の一実施形態に係る燃料電池装置の概略構成を示すブロック図である。
【図２】制御部の動作を示すフローチャートである。
【図３】制御部の動作に伴いガスの流量が減少制御される態様を示す図である。
【図４】ガスの流量が減少制御されているときに負荷追従する様子を示す図である。
【図５】制御部の動作に伴いガスの流量が増加制御される態様を示す図である。
【図６】ガスの流量が増加制御されているときに負荷追従する様子を示す図である。
【発明を実施するための形態】
【００１２】
以下、本開示の一実施形態について、図面を参照して説明する。
【００１３】
［燃料電池装置１の概略構成］
図１に示すように、燃料電池装置１は、例えば一般家庭又は商工業施設等の、需要家施設に備えられる。燃料電池装置１は、圧力スイッチ１１と、第１電磁弁１２ａと、第２電磁弁１２ｂと、ガスポンプ１３と、ガス流量計１４と、ホットモジュール２０と、パワーコンディショナ３０と、記憶部１１０と、制御部１２０と、入力部２１０と、計時部２２０と、を有する。ホットモジュール２０は、改質ユニット２１と、燃料電池ユニット２２と、を有する。図１において、実線は、ガス、電力又は水等の経路を示す。一点鎖線は、通信経路を示す。
【００１４】
圧力スイッチ１１は、外部のガスメータ６０を経て供給されるガスの圧力を検出する。圧力スイッチ１１は、設定された所定の圧力を検出するとき、信号（接点信号）を出力する。
【００１５】
第１電磁弁１２ａ及び第２電磁弁１２ｂは、ホットモジュール２０へのガス供給路を開閉する２つのガス電磁弁である。第１電磁弁１２ａ及び第２電磁弁１２ｂは、電磁石の力を用いてガスの供給路を開閉する。第１電磁弁１２ａ及び第２電磁弁１２ｂを直列に配置することによって、一方のガス電磁弁が故障してガス供給を止めることができなくなった場合にも、もう一方のガス電磁弁を作動させることによって、より確実にガスの供給を止めることができる。３つ以上のガス電磁弁を用いてもよい。
【００１６】
ガスポンプ１３は、ポンプヘッド内部に設けたダイアフラムを搖動させることによって、ホットモジュール２０へ供給されるガスの流量を調整する。
【００１７】
ガス流量計１４は、ホットモジュール２０へ供給されるガスの流量を計測するための流量計である。ガス流量計１４は、ガスの流量を計測する。ガス流量計１４は、計測したガス流量情報を、有線通信又は無線通信によって制御部１２０に送信する。
【００１８】
ホットモジュール２０の改質ユニット２１は、水と、ガスメータ６０を経て供給されるガス中に含まれるメタンとから、燃料電池の燃料となる水素を生成する。改質ユニット２１は、水とメタンとを改質反応させて、水素を含む生成物（改質ガス）を得る。改質ユニット２１は、ヒータによって、改質反応に適切な温度に保たれる。
【００１９】
ホットモジュール２０の燃料電池ユニット２２は、１つ以上の燃料電池を有する。例えば、燃料電池ユニット２２は、複数の燃料電池が積み重なったセルスタックを有する。燃料電池ユニット２２には、改質ユニット２１から改質ガスが供給される。燃料電池ユニット２２には、空気が供給される。燃料電池ユニット２２は、改質ガス中の水素と、空気中の酸素と、を用いて発電する。具体的には、燃料電池ユニット２２は、水素と、酸素と、を反応させて、水および電気を生成する。燃料電池ユニット２２は、発電した直流電力をパワーコンディショナ３０に供給する。燃料電池ユニット２２は、高温の排ガスを排出する。排ガスには、例えば、改質ガス中の水素、二酸化炭素、および一酸化炭素等が含まれ得る。燃料電池ユニット２２は、排ガスを、熱交換器４０に供給する。
【００２０】
パワーコンディショナ３０は、燃料電池ユニット２２からの直流電力を交流電力に変換して出力する。パワーコンディショナ３０は、変換後の交流電力を、分電盤８０を介して電力負荷８２に供給する。パワーコンディショナ３０は、燃料電池ユニット２２からの直流電力が十分に供給されているときは、燃料電池ユニット２２からの直流電力を燃料電池装置１の各構成部に供給して各構成部を駆動する。一方、パワーコンディショナ３０は、燃料電池ユニット２２からの直流電力が十分に確保できないときは、外部からの交流電力、例えば系統８１からの交流電力を直流電力に変換する。そして、パワーコンディショナ３０は、変換した直流電力を燃料電池装置１の各構成部に供給して各構成部を駆動する。
【００２１】
パワーコンディショナ３０は、電力負荷８２の消費電力に応じて出力電力を調整する、いわゆる負荷追従制御を行ってもよい。例えば、パワーコンディショナ３０は、ホットモジュール２０が出力する電流を検出し、検出される電流に基づいて負荷追従制御を行う。パワーコンディショナ３０は、出力電力の情報を検出し、検出した出力電力の情報を制御部１２０に送信する出力電力検出部であってもよい。
【００２２】
熱交換器４０は、循環経路４１を介して貯湯槽７０と連結される。貯湯槽７０は、需要家施設に備えられる。貯湯槽７０に貯水された水が、例えば循環ポンプによって、循環経路４１で循環する。熱交換器４０は、供給された排ガスの熱エネルギを用いて、循環経路４１を介して貯湯槽７０との間で循環する水を加熱する。
【００２３】
記憶部１１０は、例えば一次記憶装置又は二次記憶装置を有する。記憶部１１０は、例えば半導体メモリ、磁気メモリ、又は光メモリ等を有する。半導体メモリは、例えば揮発性メモリ又は不揮発性メモリを含む。磁気メモリは、例えばハードディスク又は磁気テープ等を含む。光メモリは、例えばＣＤ（Compact Disc）、ＤＶＤ（Digital Versatile Disc）、又はＢＤ（Blu-ray（登録商標） Disc）等を含む。記憶部１１０は、燃料電池装置１の動作に用いられる種々の情報およびプログラムを記憶する。
【００２４】
制御部１２０は、１つ以上のプロセッサを有する。プロセッサは、特定の処理に特化した専用のプロセッサ、又は特定のプログラムを読み込むことによって特定の機能を実行する汎用のプロセッサを含む。制御部１２０は、燃料電池装置１全体の動作を制御する。具体的には、制御部１２０は、第１電磁弁１２ａ及び第２電磁弁１２ｂを制御して、ガスの供給の開始及び停止を行う。制御部１２０は、ガス流量計１４から受信したガス流量情報に基づいて、ガスポンプ１３を制御してガスの流量を調整する。制御部１２０は、パワーコンディショナ３０から受信した出力電力の情報に基づいて、ガスポンプ１３を制御してガスの流量を調整する。さらに、制御部１２０は、例えば分電盤８０と系統８１との間に設けられたリレーの状態を示す情報を受信し、当該情報に基づいて燃料電池装置１が自立運転中であるか、又は系統８１に連系して交流電力を出力する系統連系運転中であるか、判定する。
【００２５】
記憶部１１０及び制御部１２０は、例えば１つの制御装置１００として構成される。制御装置１００としては、例えばコンピュータ等の任意の情報処理装置である。
【００２６】
入力部２１０は、ユーザからの入力を受け付ける。入力部２１０は、例えば、操作ボタン又はタッチパネル等を含む。
【００２７】
計時部２２０は、時刻を計測するタイマである。計時部２２０は、例えば、ＲＴＣ（Real Time Clock：リアルタイムクロック）である。計時部２２０は、制御部１２０の一機能として実装してもよい。計時部２２０は、ネットワークを介してタイムサーバから受信する時刻情報と同期してもよい。
【００２８】
入力部２１０及び計時部２２０は、例えば１つのリモートコントローラ２００として構成される。リモートコントローラ２００は、例えば無線通信によって、制御部１２０と信号をやりとりする。リモートコントローラ２００は、例えばリモートコントローラ２００以外の燃料電池装置１の構成とは別電源により動作する。リモートコントローラ２００は、リモートコントローラ２００以外の燃料電池装置１の構成とは別電源により動作することで、例えば停電時にも計時部２２０による計時を維持することができる。
【００２９】
ガスメータ６０は、燃料電池装置１に供給するガスの流量を検出する検出器である。ガスメータ６０は、例えば３０秒〜６０秒あたりのガスの流量を検出する。ガスメータ６０は、ガスの流量が所定の条件を満たしたとき、ガスの供給に異常が発生したと判定して、自動的にガスの供給を遮断する。具体的に、ガスメータ６０は、複数のガス漏れ検知流量範囲（例えば０．１〜０．３（ｍ３／ｈ）の範囲、０．３〜０．６（ｍ３／ｈ）の範囲、０．６〜０．８（ｍ３／ｈ）の範囲等）を記憶する。ガスメータ６０は、ガスの流量がほぼ同一のガス漏れ検知流量範囲内である状態を所定のガス漏れ検知時間（例えば２７０分）にわたって継続して検知した場合に、消し忘れなどでガス漏れが生じていると判定してガスの供給を遮断する。ガスメータ６０は、所定のガス漏れ検知解除時間（例えば３分）にわたって継続して上記ガス漏れ検知流量範囲から外れるとき、ガス漏れ検知時間のカウントをリセットする。
【００３０】
［燃料電池装置１の動作］
図２〜図６は、燃料電池装置１の動作について説明する図である。図３〜図６は、縦軸にホットモジュール２０に供給されるガスの流量を、横軸に時間経過を示し、ホットモジュール２０に供給されるガスの流量の時間変化を示す。図３〜図６において、ガスの流量は、第１ガス流量範囲Ｒ１、第２ガス流量範囲Ｒ２、及び第３ガス流量範囲Ｒ３に分割される。第１ガス流量範囲Ｒ１、第２ガス流量範囲Ｒ２、及び第３ガス流量範囲Ｒ３は、ガスメータ６０の各ガス漏れ検知流量範囲に対応する。
【００３１】
制御部１２０は、ガス流量計１４からガス流量情報を随時受信する。制御部１２０は、受信したガス流量情報に基づいて、一定のサンプリング時間（例えば３０秒）ごとのホットモジュール２０に供給されるガスの流量の平均値を随時算出する。図２に示すように、制御部１２０は、算出したガスの流量がガス漏れ検知流量範囲内で第１時間Ｔ１（例えば２４０分）にわたって継続するか否か判定する（ステップＳ１０１）。第１時間Ｔ１は、ガスメータ６０のガス漏れ検知時間より短い。制御部１２０は、上記判定を、例えば、第１時間Ｔ１を経過するごとに判定する。制御部１２０は、上記判定を、例えば第１時間Ｔ１より短い周期ごとに判定する。制御部１２０は、ガスの流量が同じガス漏れ検知流量範囲内で第１時間Ｔ１にわたって継続すると判定しない場合（ステップＳ１０１のＮｏ）、ステップＳ１０１の工程に戻る。一方、制御部１２０は、ガスの流量が同じガス漏れ検知流量範囲内で第１時間Ｔ１にわたって継続すると判定する場合（ステップＳ１０１のＹｅｓ）、ステップＳ１０２の工程に進む。
【００３２】
制御部１２０は、燃料電池装置１が系統８１から解列して交流電力を出力する自立運転中であるか否か判定する（ステップＳ１０２）。制御部１２０は、燃料電池装置１が自立運転中であると判定する場合（ステップＳ１０２のＹｅｓ）、ステップＳ１０７の工程に進む。一方、制御部１２０は、燃料電池装置１が系統連系運転中であると判定する場合（ステップＳ１０２のＮｏ）、ステップＳ１０３の工程に進む。
【００３３】
制御部１２０は、上記ステップＳ１０１の判定で用いたガス漏れ検知流量範囲が、閾値Ｊ以下であるか否かを判定する（ステップＳ１０３）。制御部１２０は、ガス漏れ検知流量範囲が閾値Ｊを超えると判定する場合（ステップＳ１０３のＮｏ）、ステップＳ１０４の工程に進む。一方、制御部１２０は、ガス漏れ検知流量範囲が閾値Ｊ以下であると判定する場合（ステップＳ１０３のＹｅｓ）、ステップＳ１０７の工程に進む。
【００３４】
閾値Ｊは、図３〜図６に示すように、最低ガス流量Ｂよりも大きい値である。最低ガス流量Ｂは、ホットモジュール２０が発電を維持するために最低限必要なガスの流量である。ホットモジュール２０に供給されるガスの流量が最低ガス流量Ｂを下回る場合、燃料電池装置１の耐久性が低下するおそれがある。閾値Ｊは、図３〜図６に示す例では、第１ガス流量範囲Ｒ１と第２ガス流量範囲Ｒ２との境界線上に位置し、第１ガス流量範囲Ｒ１の最大値である。従って、ガスの流量が第１ガス流量範囲Ｒ１にあるとき、制御部１２０はガス漏れ検知流量範囲が閾値Ｊ以下であると判定する。ガスの流量が第２ガス流量範囲Ｒ２又は第３ガス流量範囲Ｒ３にあるとき、制御部１２０はガス漏れ検知流量範囲が閾値Ｊを超えると判定する。閾値Ｊは、第１ガス流量範囲Ｒ１の最大値でなくてもよい。閾値Ｊは、例えば第１ガス流量範囲Ｒ１の最小値及び最大値に挟まれる任意の値である。閾値Ｊは、電力負荷８２の消費電力に依存しない。
【００３５】
制御部１２０は、ステップＳ１０４の工程において、ガスの流量を減少させて、ガスの流量がガス漏れ検知流量範囲外となるように制御し、ステップＳ１０５の工程に進む。例えば図３に示すように、ガスの流量が第２ガス流量範囲Ｒ２内の状態を第１時間Ｔ１にわたって継続する場合、制御部１２０は、ガスの流量を変化制御量Ｃだけ減少させる。変化制御量Ｃは、記憶部１１０に予め記憶された所定値である。変化制御量Ｃは、ガスの流量の変化量として燃料電池装置１が許容できる変動幅である。変化制御量Ｃは、例えばガス漏れ検知流量範囲の大きさ以上である。その場合、減少後のガスの流量は、第２ガス流量範囲Ｒ２より小さい第１ガス流量範囲Ｒ１内となる。
【００３６】
制御部１２０は、ステップＳ１０５の工程において、出力電力が増加したか否かを判定する。出力電力は、例えば制御部１２０が負荷追従制御を行うことで変化する。制御部１２０は、通常の制御に従う場合には、出力電力が増加するときガスの流量を増加させ、出力電力が減少するときガスの流量を減少させる。制御部１２０は、出力電力が増加したと判定しない場合（ステップＳ１０５のＮｏ）、ステップＳ１１０の工程に進む。制御部１２０は、出力電力が増加したと判定した場合（ステップＳ１０５のＹｅｓ）、ガスの流量の増加を抑制し（ステップＳ１０６）、ステップＳ１１０の工程に進む。
【００３７】
図５では、制御部１２０が通常の制御に従う場合に出力電力の増加に応じて増加させるガスの流量が、一点鎖線で示される。制御部１２０は、出力電力が増加しても、ガスの流量をステップＳ１０４の工程で減少させた値から増加させない。一方、制御部１２０は、出力電力が減少すると、ガスの流量をステップＳ１０４の工程で制御した値から更に減少させる。以下、ステップＳ１０４、Ｓ１０５及びＳ１０６の工程で制御部１２０が行う制御を、ガス流量減少制御と称する。
【００３８】
制御部１２０は、ステップＳ１０７の工程において、ガスの流量を増加させて、ガスの流量がガス漏れ検知流量範囲外となるように制御し、ステップＳ１０８の工程に進む。例えば図４に示すように、ガスの流量が第１ガス流量範囲Ｒ１内の状態を第１時間Ｔ１にわたって継続する場合、制御部１２０は、ガスの流量を変化制御量Ｃだけ増加させる。変化制御量Ｃは、例えばガス漏れ検知流量範囲の大きさに対応する。その場合、増加後のガスの流量は、第１ガス流量範囲Ｒ１より大きい第２ガス流量範囲Ｒ２内となる。
【００３９】
制御部１２０は、ステップＳ１０８の工程において、出力電力が減少したか否かを判定する。制御部１２０は、出力電力が減少したと判定しない場合（ステップＳ１０８のＮｏ）、ステップＳ１１０の工程に進む。制御部１２０は、出力電力が減少したと判定した場合（ステップＳ１０８のＹｅｓ）、ガスの流量の減少を抑制し（ステップＳ１０９）、ステップＳ１１０の工程に進む。
【００４０】
図６では、制御部１２０が通常の制御に従う場合に出力電力の減少に応じて減少させるガスの流量が、一点鎖線で示される。制御部１２０は、出力電力が減少しても、ガスの流量をステップＳ１０７の工程で増加させた値から減少させない。一方、制御部１２０は、出力電力が増加すると、ガスの流量をステップＳ１０４の工程で制御した値から更に増加させる。以下、ステップＳ１０７、Ｓ１０８及びＳ１０９の工程で制御部１２０が行う制御を、ガス流量増加制御と称する。上記したガス流量減少制御とガス流量増加制御とを合わせて、ガス流量変化制御と称する。
【００４１】
制御部１２０は、ステップＳ１１０の工程において、ステップＳ１０４又はＳ１０７の制御を行ってから第２時間Ｔ２（例えば５分）経過したか否かを判定する。第２時間Ｔ２は、ガスメータ６０のガス漏れ検知解除時間よりも長く、第１時間Ｔ１よりも短い。制御部１２０は、第２時間Ｔ２経過していないと判定した場合（ステップＳ１１０のＮｏ）、第２時間Ｔ２経過するまで待機する。換言すれば、制御部１２０は、上記したガス流量変化制御を、第２時間Ｔ２にわたって継続する。制御部１２０は、ガスの流量を減少させるとき、目標の流量まで減少させるのに所定の時間を要する。図３に示すように、制御部１２０が開始時刻Ａからガスの流量を減少させる制御を開始した場合、ガスの流量は所定の時間経過後に第２ガス流量範囲Ｒ２外に到達する。そこで、制御部１２０は、ガスの流量を減少させる場合には、第２時間Ｔ２よりも長い第３時間Ｔ３にわたって、ガスの流量を減少させる。制御部１２０は、第２時間Ｔ２経過したと判定する場合（ステップＳ１１０のＹｅｓ）、ガス流量変化制御を解除して（ステップＳ１１１）、ステップＳ１０１の工程に戻る。
【００４２】
上記のように、燃料電池装置１は、ホットモジュール２０に供給されるガスの流量がガス漏れ検知流量範囲内で第１時間Ｔ１にわたって継続する場合、ガスの流量を制御してガス漏れ検知流量範囲外とする。燃料電池装置１は、ガス漏れ検知流量範囲が閾値Ｊ以下のときはガスの流量を増加させる。燃料電池装置１は、ガス漏れ検知流量範囲が閾値Ｊを超えるときはガスの流量を減少させる。そうすることで、燃料電池装置１は、ガスメータ６０によるガス漏れ検知を抑制し、かつ、ガスの流量が最低ガス流量Ｂを下回ることを避けることができる。また、制御部１２０がガスの流量を増加させるとき、出力電力が増加しない場合には、ホットモジュール２０は蓄熱して耐久性を低下させるが、燃料電池装置１は所定範囲が閾値Ｊを超える場合にはガスの流量を減少させるので、ガスの流量の増加を最小限に抑えられる。
【００４３】
上記のように、燃料電池装置１は、ガスの流量を増加させている状態では、出力電力が減少するときであっても、ガスの流量をある程度以上に維持する。そうすることで、燃料電池装置１は、例えば負荷追従制御によって出力電力が減少しても、ガスメータ６０によるガス漏れ検知を抑制できる。
【００４４】
上記のように、燃料電池装置１は、ガスの流量を減少させている状態では、出力電力が増加するときであっても、ガスの流量をある程度以下に抑制する。そうすることで、燃料電池装置１は、例えば負荷追従制御によって出力電力が増加しても、ガスメータ６０によるガス漏れ検知を抑制できる。
【００４５】
上記のように、燃料電池装置１は、自立運転時には、ガスの流量が所定範囲内で第１時間Ｔ１にわたって継続する場合、ガスの流量の閾値Ｊに対する大小関係に関わらず、ガスの流量を増加させる。そうすることで、燃料電池装置１は、負荷追従によるガスの流量の増加に予め備えられる。
【００４６】
本発明は、上述した実施形態で特定された構成に限定されるものではなく、特許請求の範囲に記載した発明の要旨を逸脱しない範囲内で種々の変形が可能である。例えば、各構成部、各ステップなどに含まれる機能などは論理的に矛盾しないように再配置可能であり、複数の構成部又はステップなどを１つに組み合わせたり、或いは分割したりすることが可能である。また、本開示について燃料電池装置１を中心に説明してきたが、本開示は燃料電池装置１をコンピュータにより制御する方法、プログラム、又はプログラムを記録した記憶媒体としても実現し得るものであり、本開示の範囲にはこれらも包含されるものと理解されたい。
【符号の説明】
【００４７】
１    燃料電池装置
１１    圧力スイッチ
１２ａ    第１電磁弁
１２ｂ    第２電磁弁
１３    ガスポンプ
１４    ガス流量計
２０    ホットモジュール
２１    改質ユニット
２２    燃料電池ユニット
３０    パワーコンディショナ
４０    熱交換器
４１    循環経路
６０    ガスメータ
７０    貯湯槽
８０    分電盤
８１    系統
８２    電力負荷
１００    制御装置
１１０    記憶部
１２０    制御部
２００    リモートコントローラ
２１０    入力部
２２０    計時部
Ａ    開始時刻
Ｂ    最低ガス流量
Ｃ    変化制御量
Ｊ    閾値
Ｒ１    第１ガス流量範囲
Ｒ２    第２ガス流量範囲
Ｒ３    第３ガス流量範囲
Ｔ１    第１時間（所定時間）
Ｔ２    第２時間
Ｔ３    第３時間
【図１】
2018186011.tif 000003
【図２】
2018186011.tif 000004
【図３】
2018186011.tif 000005
【図４】
2018186011.tif 000006
【図５】
2018186011.tif 000007
【図６】
2018186011.tif 000008